(57)【要約】【課題】シリーズ管理テーブルを用いることなく、録画済みのシリーズ番組と予約済みのシリーズ番組とを混在させ、１つのコンテンツとして表示、操作することを可能とする。【解決手段】ハードディスクドライブ部１８は、録画された放送番組と、当該放送番組の番組情報とを記録する。予約メモリ４２は、放送番組が予約されていることを示す予約番組情報を記録する。表示制御部４３は、ハードディスクドライブ部１８及び予約メモリ４２を参照して、同じシリーズに含まれる放送番組を示す番組情報または予約番組情報を取得する。表示制御部４３は、取得された番組情報または予約番組情報を含む１つのコンテンツ情報を作成する。表示制御部４３は、作成されたコンテンツ情報を受像機４１の表示画面に表示するように、受像機４１に出力する。【選択図】      図１
2007312211.tif 000002
【特許請求の範囲】
【請求項１】
放送番組の録画と、放送番組の録画予約が可能な映像録画装置であって、
録画された放送番組と、当該放送番組の番組情報とを格納する番組格納手段と、
放送番組が予約されていることを示す予約番組情報を格納する予約格納手段と、
前記番組格納手段及び前記予約格納手段を参照して、同じシリーズに含まれる放送番組を示す番組情報または予約番組情報を取得する取得手段と、
前記取得手段によって取得された番組情報または予約番組情報を含む１つのコンテンツ情報を作成する作成手段と、
前記作成手段によって作成されたコンテンツ情報を表示するように出力する出力手段と
を具備することを特徴とする映像録画装置。
【請求項２】
前記シリーズに含まれる放送番組の全話数を示す情報を抽出する抽出手段を更に具備し、
前記取得手段によって取得された番組情報は、前記シリーズにおける話数を示す情報を含み、
前記コンテンツ情報は、前記抽出手段によって受信された前記番組表情報に含まれる全話数を示す情報と、前記取得手段によって取得された番組情報に含まれる話数を示す情報を含み、
前記出力手段は、前記コンテンツ情報に含まれる全話数を示す情報及び話数を示す情報を出力する
ことを特徴とする請求項１記載の映像録画装置。
【請求項３】
前記出力手段は、前記取得手段によって取得された番組情報に含まれる話数を示す情報のうち、最も大きい話数を示す情報を出力することを特徴とする請求項２記載の映像録画装置。
【請求項４】
前記取得手段によって取得された予約番組情報は、前記シリーズにおける話数を示す情報を含み、
前記コンテンツ情報は、前記シリーズにおける話数毎に、それぞれの放送番組が放送される日付を示す情報を含み、
前記出力手段は、前記日付を示す情報に基づいて、前記シリーズにおいて最も遅く放送される日付を示す情報を出力する
ことを特徴とする請求項２記載の映像録画装置。
【請求項５】
前記出力手段は、前記作成手段によって作成されたコンテンツ情報に含まれる番組情報及び予約番組情報を一覧表示するように出力することを特徴とする請求項１記載の映像録画装置。
【請求項６】
前記作成手段によって作成されたコンテンツ情報に含まれる番組情報によって示される放送番組がユーザによって最後まで視聴されたか否かを判定する判定手段と、
前記判定手段によって最後まで視聴されていないと判定された放送番組の視聴を中断したところから再生する再生手段と
を更に具備することを特徴とする請求項１記載の映像録画装置。
【請求項７】
前記作成手段によって作成されたコンテンツ情報に含まれる番組情報のうち、複数の番組情報及び当該番組情報によって示される放送番組に対して、チャプタを作成するチャプタ作成手段と、
前記チャプタ作成手段によって作成されたチャプタ毎に再生する再生手段と
を具備することを特徴とする請求項１記載の映像録画装置。
【請求項８】
前記作成手段によって作成されたコンテンツ情報及び当該コンテンツ情報に含まれる番組情報によって示される放送番組を削除する削除手段を更に具備することを特徴とする請求項１記載の映像録画装置。
【請求項９】
前記作成手段によって作成されたコンテンツ情報及び当該コンテンツ情報に含まれる番組情報によって示される放送番組を、前記番組格納手段以外の格納手段に移動する移動手段を更に具備することを特徴とする請求項１記載の映像録画装置。
【請求項１０】
前記作成手段によって作成されたコンテンツ情報に含まれる番組情報及び当該番組情報によって示される放送番組を、前記番組格納手段以外の格納手段に移動する移動手段を更に具備することを特徴とする請求項１記載の映像録画装置。
【請求項１１】
前記シリーズに含まれる放送番組の全話数を示す情報を抽出する抽出手段と、
前記シリーズに含まれる放送番組を順次、録画予約するシリーズ録画予約手段と、
前記シリーズ録画予約手段によって予約されたシリーズ番組の全てを録画したか否かを、前記抽出手段によって抽出された全話数を示す情報に基づいて判定する判定手段と、
前記判定手段によって前記シリーズ番組の全てを録画したと判定された場合に、前記シリーズ録画予約手段による録画予約を消す手段と
を更に具備することを特徴とする請求項１記載の映像録画装置。
【請求項１２】
前記番組格納手段に格納されている番組情報または予約格納手段に格納されている予約番組情報の各々は、当該番組情報または予約番組情報によって示される放送番組のタイトルを示す情報を含み、
前記取得手段は、同一のタイトルを有する放送番組の番組情報または予約番組情報を、前記タイトルを示す情報に基づいて取得することを特徴とする請求項１記載の映像録画装置。
【請求項１３】
放送番組の録画と、放送番組の録画予約が可能な映像録画装置であって、録画された放送番組と当該放送番組を示す番組情報とを格納する番組格納手段及び放送番組が録画予約されていることを示す予約番組情報を格納する予約格納手段を備える映像録画装置に適用される番組表示方法において、
前記番組格納手段及び前記予約格納手段を参照して、同じシリーズに含まれる放送番組を示す番組情報または予約番組情報を取得するステップと、
前記取得された番組情報または予約番組情報を含む１つのコンテンツ情報を作成するステップと、
前記作成されたコンテンツ情報を表示するように出力するステップと
を具備することを特徴とする番組表示方法。
【発明の詳細な説明】
【技術分野】
【０００１】
本発明は、映像録画装置及び番組表示方法に関し、録画済みのシリーズ番組と予約済みのシリーズ番組を１つのコンテンツとして扱う装置及び方法に関する。
【背景技術】
【０００２】
近年、ハードディスクドライブ（ＨＤＤ）、ＤＶＤ（Digital Versatile Disk）などの記録媒体に関して記録容量の向上が得られ、これらの記録媒体を用いた映像録画装置が提供されている。
【０００３】
一方、放送方式として、地上アナログ放送、地上デジタル放送、衛星アナログ放送、衛星デジタル放送など、各種の放送方式が実現化されている。
【０００４】
また、デジタル放送では、新聞や雑誌のテレビ番組表の代わりに、電子番組表（ＥＰＧ：Electric Program Guide）が番組情報として放送されている。このＥＰＧは、例えば番組のタイトル名を示す情報を含んでいる。また、毎日または毎週というように、一定期間毎に放送されるシリーズ化された番組（以下、シリーズ番組と称する）においては、例えばシリーズ番組の全話数を示す情報が含まれている場合がある。また、ＥＰＧは、電話回線などのネットワークを介して取得可能となるように検討されている。
【０００５】
また、最近では、例えばＨＤＤの容量の増大により、ユーザは録画された映像データ（録画済番組）をこまめに削除する必要がない。
【０００６】
最近の映像録画装置では、上記したようなシリーズ番組を、シリーズ録画予約によって順次録画できるような機能を有するものもある。また、映像録画装置は、録画済番組の一覧を表示する機能も有する。
【０００７】
しかしながら、最近のように放送方式が複数となり、またチャンネル数が多くなると、例えばシリーズ録画予約による録画のような自動録画機能によりＨＤＤには膨大な録画済番組が存在する。このため、録画予約番組や録画済番組が多くなり、それらの管理が困難となる。
【０００８】
また、上記したようにシリーズ番組を録画した場合であっても、録画済番組の一覧がユーザに提示される際、通常、録画された当該シリーズ番組は一般的な単発の番組の集合とみなされ、他の録画済番組と混在して、録画された順に提示される。このため、例えば当該シリーズ番組の第何話まで録画したかを確認する際には、ユーザは録画済番組の一覧の画面上でシリーズ番組を一話ずつ確認する必要がある。
【０００９】
また、同じシリーズ番組であっても、録画済番組と予約済み番組とでは別々の一覧によって表示されるため、シリーズ番組に注目した場合の操作が煩雑となる。
【００１０】
そこで、シリーズ管理テーブルを用いることによって、シリーズ番組を管理する技術が提案されている（例えば、特許文献１を参照）。この先行技術によれば、シリーズ番組を、シリーズＩＤ、エピソード番号、録画ステータスによって管理することで、各シリーズ番組について、シリーズＩＤの同じものについてはそれを１つとして一覧表示する。また、この先行技術によれば、ＥＰＧ上に存在する番組についても組み込んでシリーズ番組の一覧表示をする。
【特許文献１】特開２００４−３４３５２０号公報
【発明の開示】
【発明が解決しようとする課題】
【００１１】
上記した先行技術によると、シリーズ管理テーブルを用いてシリーズ番組を管理する。そのため、例えばこのシリーズ管理テーブルによって管理されている情報と、実際に録画されている番組情報とに不整合が起きた場合、正しい処理が実行されないおそれがある。また、常にシリーズ管理テーブルと、実際の録画済番組等との整合性を取る必要があるため処理が煩雑となる。
【００１２】
本発明の目的は、シリーズ管理テーブルを用いることなく、録画済みのシリーズ番組と予約済みのシリーズ番組を１つのコンテンツとして扱うことが可能な映像録画装置及び番組表示方法を提供することにある。
【課題を解決するための手段】
【００１３】
本発明の１つの態様によれば、放送番組の録画と、放送番組の録画予約が可能な映像録画装置が提供される。この映像録画装置は、録画された放送番組と、当該放送番組の番組情報とを格納する番組格納手段と、放送番組が予約されていることを示す予約番組情報を格納する予約格納手段と、前記番組格納手段及び前記予約格納手段を参照して、同じシリーズに含まれる放送番組を示す番組情報または予約番組情報を取得する取得手段と、前記取得手段によって取得された番組情報または予約番組情報を含む１つのコンテンツ情報を作成する作成手段と、前記作成手段によって作成されたコンテンツ情報を表示するように出力する出力手段とを具備する。
【発明の効果】
【００１４】
本発明によれば、シリーズ管理テーブルを用いることなく、録画済みのシリーズ番組と予約済みのシリーズ番組を１つのコンテンツとして扱うことが可能となる。
【発明を実施するための最良の形態】
【００１５】
以下、図面を参照して本発明の実施形態について説明する。
【００１６】
図１は、本実施形態に係る映像録画装置の構成を示すブロック図である。この映像録画装置は、例えば、ＴＶ放送番組等の映像及び音声信号（以下、単に放送番組と称する）をデジタル記録及び再生することが可能なビデオレコーダ１０として実現されている。
【００１７】
ビデオレコーダ１０は、リモコンユニットＲから赤外線信号などによって送信されるリモコンコードに応じて、放送番組の記録及び再生動作を制御するように構成されている。本ビデオレコーダ１０は、リモコンユニットＲなどが操作されることで予めユーザによって指定されたキーワードに関連する放送番組等をデジタル記録する機能も有している。更に、ビデオレコーダ１０は、インターネットに接続するためのネットワーク機能を有しており、インターネット等のネットワークを通じて放送局Ｔから提供される放送番組を受信することができる。
【００１８】
ビデオレコーダ１０は、図示のように、通信部１１、ＢＳ／ＣＳ（Broadcasting Satellite／Communication Satellite）チューナ部１２、地上波チューナ部１３、入力側セレクタ部１６及び出力側セレクタ部１７、ハードディスクドライブ部１８、光ディスクドライブ部１９、エンコーダ部２１、デコーダ部２３、インタフェース（Ｉ／Ｆ）部２７、制御部３０、操作部３２、表示部３３、タイマーマイコン部３４、予約メモリ４２及び表示制御部４３等を備えている。
【００１９】
通信部１１は、ビデオレコーダ１０をモデムＭを介してインターネット等のネットワークに接続するためのデバイスであり、例えばインターネットを介して放送局Ｔとの通信を実行する。ＢＳ／ＣＳチューナ部１２は、ＢＳ及びＣＳに対応する放送番組データの受信とチャンネル選択のための選局処理とを行う放送受信部であり、ＢＳ／ＣＳ対応のアンテナに接続されている。地上波チューナ部１３は、地上波アナログ放送番組データの受信とチャンネル選択のための選局処理とを行うデバイスであり、外部のＴＶアンテナに接続されている。
【００２０】
入力側セレクタ部１６は、通信部１１、ＢＳ／ＣＳチューナ部１２または地上波チューナ部１３からそれぞれ入力される信号または放送番組データをエンコーダ部２１に送信する入力制御機能を有する。
【００２１】
また、入力側セレクタ部１６には、ＢＳ／ＣＳチューナ部１２及び地上波チューナ部１３からそれぞれ重畳されて受信される複数の電子番組表（ＥＰＧ：Electric Program Guide）が入力される。このＥＰＧは、例えば８日分の放送予定の放送番組の番組情報を含んでいる。番組情報は、放送番組のタイトル名等を示す情報を含む。また、番組情報には、後述するシリーズ化された番組においては、全話数や当該番組情報によって示される放送番組の話数を示す情報が含まれている場合がある。
【００２２】
入力側セレクタ部１６に入力されたＥＰＧは、制御部３０の制御の下、出力側セレクタ部１７を介して受像機４１及びインタフェース（Ｉ／Ｆ）部２７に出力される。
【００２３】
エンコーダ部２１は、制御部３０の制御の下、ＢＳ／ＣＳチューナ部１２及び地上波チューナ部１３から入力される放送番組をデジタル圧縮符号化するためのエンコード処理を実行するデバイスである。このエンコード処理により、放送番組は、例えばＭＰＥＧ２またはＤＶＤビデオフォーマット等に対応した、圧縮符号化されたデジタルデータ列に変換される。エンコーダ部２１によって得られる圧縮符号化された放送番組は、デコーダ部２３に入力される。
【００２４】
ハードディスクドライブ部１８は、制御部３０の制御の下、圧縮符号化されたデジタルデータ列に変換された放送番組を記録する処理及び記録された放送番組を読み出す処理を実行するディスク記憶装置である。ハードディスクドライブ部１８に記憶されている放送番組には、ヘッダ情報が付加されている。このヘッダ情報は、当該放送番組のタイトル名等を示す番組情報を含む。
【００２５】
光ディスクドライブ部１９は、ＤＶＤ−ＲＡＭ／ＤＶＤ−Ｒ等の記録型メディアＤに対するリード／ライト処理を実行する。ＤＶＤ（Digital Versatile Disc）ドライブは、ＤＶＤ−ＲＯＭメディアのような記録型メディアＤからのデータのリード処理も実行することができる。圧縮符号化されたデジタルデータ列に変換された放送番組は、まず、ハードディスクドライブ部１８に記録される。ハードディスクドライブ部１８に記録された放送番組は、必要に応じて、ＤＶＤ−ＲＡＭ／ＤＶＤ−Ｒ等の記録型メディアＤに記録される（ダビング）。
【００２６】
一時記憶部２０は、ハードディスクドライブ部１８及び光ディスクドライブ部１９への書き込みデータまたは、ハードディスクドライブ部１８及び光ディスクドライブ部１９からの読み出しデータを一時的に記録するためのバッファメモリである。
【００２７】
また、ハードディスクドライブ部１８及び光ディスクドライブ部１９から読み出される圧縮符号化された放送番組は、一時記憶部２０を介してデコーダ部２３に送られる。なお、ハードディスクドライブ部１８と、光ディスクドライブ部１９のいずれか一方をディスクドライブとして設けてもよい。
【００２８】
デコーダ部２３は、制御部３０の制御の下、圧縮符号化された放送番組を復号するためのデコード処理を実行するデバイスである。このデコード処理によって復号された放送番組は、出力側セレクタ部１７に出力される。
【００２９】
出力側セレクタ部１７は、デコーダ部２３から入力された放送番組または各チューナから受信されたＥＰＧをバス及び出力端子を介して例えばＴＶなどの受像機４１に、またはインタフェース（Ｉ／Ｆ）部２７を介して外部に送信するための制御機能を有する。受像機４１は、本ビデオレコーダ１０に接続されており、例えばＥＰＧを表示する表示装置である。
【００３０】
制御部３０は、ビデオレコーダ１０の各コンポーネントの動作を制御するために設けられたメインＣＰＵ（Central Processing Unit）である。制御部３０は、例えばユーザによって指定されたキーワードに関する放送番組をＥＰＧから検索する検索処理も実行する。制御部３０は、検索された放送番組の番組情報をＥＰＧから抽出し、録画予約対象の予約番組情報として予約メモリ４２に記憶する。また、制御部３０は、例えば毎日または毎週というように、一定期間毎に放送されるシリーズ化された番組（以下、シリーズ番組と称する）を、シリーズ録画予約または一定期間予約によって順次、予約メモリ４２に記憶する。シリーズ録画予約によれば、例えば同一または特定のキーワードを含むタイトル名を有する放送番組を順次、録画予約することができる。また、一定期間予約によれば、例えば毎日または毎週のように一定期間毎に録画予約することができる。具体的には、毎週月曜日の２１：００から２２：００に特定のチャンネルを順次、録画予約する等である。
【００３１】
また、制御部３０は、録画されたシリーズ番組に対して、チャプタを作成する機能を有する。例えば、録画された複数のシリーズ番組にまたがってチャプタを作成する。
【００３２】
予約メモリ４２には、予約番組情報が記憶（格納）される。予約番組情報は、ＴＶなどの放送番組を識別するための例えば、チャンネル番号（チャンネルコード）、日付情報、録画予約開始時間、録画予約時間などの複数の項目を含んでいる。また、予約番組情報は、放送番組の録画予約に関する設定の内容を示す情報である。
【００３３】
チャンネル番号（チャンネルコード）は、録画予約対象の放送番組が放送される放送局のチャンネルを表す。日付情報は、録画予約対象の放送番組が放送される日付を表す。録画予約開始時間は、録画予約対象の放送番組の録画の実行を開始する時間を表す。録画予約時間は、録画予約対象の放送番組の録画を実行する時間を表す。
【００３４】
表示制御部４３は、各種情報を表示するように出力する。つまり、表示制御部４３は、各種情報を例えば受像機４１に出力することによって、当該各種情報を受像機４１の表示画面に表示する処理を実行する。表示制御部４３は、制御部３０の制御の下、例えばハードディスクドライブ部１８に記録されている放送番組（録画済番組）を受像機４１の表示画面に一覧表示する処理を実行する。
【００３５】
また、表示制御部４３は、制御部３０の制御の下、予約メモリ４２及びハードディスクドライブ部１８を参照して、同じシリーズに含まれる放送番組を示す番組情報または予約番組情報を含む１つのコンテンツ情報を作成する。表示制御部４３は、作成されたコンテンツ情報を例えば受像機４１の表示画面に表示する。また、表示制御部４３は、コンテンツ情報に含まれる番組情報及び予約番組情報を一覧表示する機能も有する。
【００３６】
表示部３３は、ビデオレコーダ１０本体に設けられたステータス表示用の表示装置であり、例えば、現在の視聴、再生及び記録対象となっている放送番組のタイトル、チャンネル番号、再生／記録に関する進捗状況などのステータス情報の表示に用いられる。例えば、ユーザがリモコンユニットＲを操作することによってあるＴＶ番組の録画／再生を指示した場合には、ビデオレコーダ１０によって実行される録画／再生処理の対象となる放送番組のタイトル名などが表示部３３に表示される。
【００３７】
タイマーマイコン部３４は、計時用のタイマーを内蔵したマイクロコンピュータであり、操作部３２及びリモコンユニットＲそれぞれから送信される信号を処理するためのサブＣＰＵとして機能する。このタイマーマイコン部３４は、録画予約されたＴＶなどの放送番組毎にそのチャンネル番号、タイトル、録画開始時間、録画終了時間等を管理する機能も有する。タイマーマイコン部３４に内蔵されたタイマーは現在日時を計時する時計モジュールとして機能する。録画予約されたそれぞれの放送番組の録画開始時間または録画終了時間が到来したとき、予約メモリ４２に記憶された予約番組情報に対応する放送番組を記録／記録停止する。タイマーマイコン部３４はリモコンコード処理機能を有している。このリモコンコード処理機能は、操作部３２に内蔵されるリモコンインタフェースを介してリモコンユニットＲから受信したリモコンコードによって要求された動作を制御部３０と共同して実行する機能である。
【００３８】
また、リモコンユニットＲには例えば機能キー及びテンキー等が設けられている（図示せず）。ユーザは、リモコンユニットＲのキーを操作することにより、そのキーに対応するＥＰＧを表示部３３に出力するように、ビデオレコーダ１０に指示することもできる。機能キーには、例えば、ビデオレコーダ１０の電源オン・オフボタンに加え、放送番組の記録／再生動作を制御するためのボタン群（再生ボタン、停止ボタン、一時停止ボタン、記録ボタン、早送り・早戻しボタン等）と、上述の録画予約機能及び録画予約された放送番組の予約番組情報を表示する機能等を操作するためのボタン群などが設けられている。テンキーには、数字・記号などの入力のための複数のボタンを備えており、例えばチャンネル番号の入力や、タイトル名の編集などに利用される。
【００３９】
リモコンユニットＲにおいては、上述の操作部３２の各ボタン毎にそれに対応するキーコードが割り当てられている。あるボタンがユーザによって操作されると、そのボタンに対応するキーコードが赤外線信号等によってビデオレコーダ１０に送信される。本ビデオレコーダ１０においては、各リモコンコード毎それぞれに対応して実行すべき動作が規定されている。ユーザは、リモコンユニットＲを操作することにより、例えば、放送番組の記録／再生、録画予約、録画予約一覧の表示、録画済番組の一覧表示などの動作の実行を、ビデオレコーダ１０に指示することができる。
【００４０】
次に、図２を参照して、本実施形態に係る映像録画装置の特徴について説明する。図２は、本実施形態の特徴の概念図である。
【００４１】
ここでは、例えばタイトルが「ｘｘｘｘ」であり、第１話から第１５話まであるシリーズ番組について説明する。
【００４２】
図２に示すように、通常、放送局Ｔでは、シリーズ番組「ｘｘｘｘ」の第１話から第１５話までの全てが１タイトルとして扱われている。そして、１タイトルとして扱われているシリーズ番組「ｘｘｘｘ」は、第１話、第２話、第３話、…、第１５話に分割され、例えば毎週（特定の曜日、時間）に放送される。
【００４３】
本実施形態の特徴は、上述したような分割して放送されるシリーズ番組を結合し、１つのコンテンツとして扱う点にある。例えば、シリーズ番組「ｘｘｘｘ」の第１話及び第２話を録画済であって、第３話以降を予約済みである場合を想定する。この場合、シリーズ番組「ｘｘｘｘ」の第１話及び第２話を示す番組情報と、第３話以降を示す予約番組情報とから１つのコンテンツ情報が作成される。この作成されたコンテンツ情報に基づいて、シリーズ番組「ｘｘｘｘ」を１つのコンテンツとして例えば表示する処理が実行される。
【００４４】
例えば図２に示すようなシリーズ番組「ｘｘｘｘ」が、１つのコンテンツ（タイトル）として表示された場合、「ｘｘｘｘ  全１５話  ［現在２話目］」と表示される。この、コンテンツ一覧表示の表示内容についての詳細については、後述する。
【００４５】
図３は、予約番組情報の構造例を示す。図３に示すように、予約番組情報は、予約番組ＩＤ、待機／録画、チャンネル（ｃｈ）、予約日時、録画時間、（録画予定）タイトル名、（録画予定）話数及び全話数（を示す情報）を含む。また、予約番組情報は、放送番組の内容を示す番組説明（図示せず）を示す情報を含む。予約日時には、ある特定の日時のみではなく、例えば毎日２１：００または毎週月曜日２１：００のような一定期間毎に予約されている場合は、その旨が示される。タイトル名には、例えばタイトル及び題名等を示す情報が含まれている。
【００４６】
なお、シリーズ番組でない放送番組の予約番組情報の話数及び全話数を示す情報には、話数及び全話数を示す情報がない旨を示す「−」が示される。また、シリーズ番組の予約番組情報であっても話数および全話数が不明な場合では、話数および全話数を示す情報には、話数および全話数が不明である旨を示す「？」が示される。
【００４７】
なお、シリーズ番組の予約番組情報に含まれるタイトル名には、タイトル及び題名を示す情報に加えて、例えば話数を示す情報が含まれている。
【００４８】
図３に示される予約番組ＩＤが「１」の予約番組情報の例では、現在録画中であり、チャンネルは「１」、予約日時は「２００６／７／１  ２１：００」、録画時間は「０：５４」及びタイトル名は「ｙｙｙｙ」である。この例の予約番組情報によって示される放送番組はシリーズ番組でないため、話数及び全話数を示す情報は含まれていない。
【００４９】
また、予約番組ＩＤが「６」の予約番組情報の例では、現在待機中であり、チャンネルは「８」、予約日時は「毎週火（曜日）  ２２：００」、録画時間は「０：５４」、タイトル名は「ｘｘｘｘ第３話  「ｃｃｃｃ」」、話数は「３」及び全話数は「１５」である。ここで、タイトル名に含まれる「ｃｃｃｃ」は、この放送番組の題名である。
【００５０】
また、予約番組ＩＤが「７」の予約番組情報の例では、現在待機中であり、チャンネルは「１０」、予約日時は「毎週日（曜日）  １７：００」、録画時間は「０：３０」及びタイトル名は「ｚｚｚｚ」である。また、話数及び全話数は「？」である。
【００５１】
図４は、録画済番組の番組情報の構造例を示す。図４に示すように、番組情報は、番組ＩＤ、録画日時、録画時間、タイトル名、チャプタ、視聴完了フラグ及び視聴終了時間（を示す情報）を含む。チャプタは、番組情報によって示される録画済番組においてチャプタが作成されている場合には、その旨を示す。タイトル名には、例えばタイトル及び題名等を示す情報が含まれている。なお、シリーズ番組の番組情報に含まれるタイトル名には、上記したタイトル及び題名を示す情報に加えて、話数を示す情報が含まれている。
【００５２】
視聴完了フラグは、番組情報によって示される録画済番組の視聴が完了されたか否かを表す。この視聴完了フラグは、録画直後には視聴未完了に設定されているが、ユーザによって録画済番組が最後まで視聴された段階で視聴完了に設定される。これは、例えば録画済番組をある一定時間視聴すると最後まで視聴したものとして視聴完了に設定される。
【００５３】
視聴終了時間は、番組情報によって示される録画済番組の視聴が完了されていない場合、当該録画済番組の先頭から視聴を終えた（中断した）ところまでの時間を示す。なお、録画済番組の視聴完了フラグが視聴完了に設定されている場合、視聴終了時間には「−」が示される。
【００５４】
図４に示される番組ＩＤが「１」の番組情報の例では、録画日時は「２００６／５／５  ２１：００」、録画時間は「０：５４」、タイトル名は「ｗｗｗｗ」、チャプタは「０，２３４４，２３４５５４」、視聴完了フラグは「視聴完了」及び視聴終了時間は「−」である。
【００５５】
また、番組ＩＤが「２８４」の番組情報の例では、録画日時は「２００６／６／２０  ２２：００」、録画時間は「１：１０」、タイトル名は「ｘｘｘｘ第１話  「ａａａａ」」及びチャプタは「０」、視聴完了フラグは「視聴完了」及び視聴終了時間は「−」である。ここで、チャプタの「０」は、番組ＩＤが「２８４」の番組情報によって示される録画済番組ではチャプタが作成されていない旨を示す。
【００５６】
また、番組ＩＤが「２８５」の番組情報の例では、録画日時は「２００６／６／２７  ２２：００」、録画時間は「０：５４」、タイトル名は「ｘｘｘｘ第２話  「ｂｂｂｂ」」及びチャプタは「０」、視聴完了フラグは「視聴完了」及び視聴終了時間は「−」である。
【００５７】
次に、図５を参照して、コンテンツ情報について説明する。図５は、コンテンツ情報の構造例を示す。
【００５８】
図５に示すように、コンテンツ情報は、コンテンツ（タイトル）名、予約＋タイトル（録画済番組）数、全話数及び当該コンテンツ情報に含まれる番組情報または予約番組情報の詳細（を示す情報）を含む。全話数は、「？」または「‘-’」を含む。「？」は、全話数が不明である旨を示し、「‘-’」は、コンテンツが単発（例えば映画等）の放送番組（以下、単発番組）である旨を示す。
【００５９】
番組情報または予約番組情報の詳細には、コンテンツ情報に含まれる番組情報または予約番組情報のＩＤ、予約／録画済及び話数を示す情報が含まれる。予約／録画済みは、「予約済み」または「録画済み」であることを示す。話数は、「無」または自然数によって示される。「無」は、話数を示す情報が無い場合を示す。
【００６０】
図５に示す例では、コンテンツ名は「ｘｘｘｘ」、予約＋タイトル数は「３」、全話数は「１５」である。また、詳細には、ＩＤが「２８４」、「２８５」及び「６」である番組情報によって示される情報が含まれている。
【００６１】
ＩＤが「２８４」の番組情報によって示される放送番組は、録画済みであり、話数は「１」である。ＩＤが「２８５」の番組情報によって示される放送番組は、録画済みであり、話数は「２」である。ＩＤが「６」の番組情報によって示される放送番組は、予約済みであり、話数は「３−１５」である。
【００６２】
次に、図６のフローチャートを参照して、コンテンツ情報を一覧表示する処理手順について説明する。
【００６３】
この処理は、例えばユーザによってコンテンツ一覧キー（ボタン）が押下された場合に実行される。また、この処理は、表示画面に表示されるクイックメニューから例えば「コンテンツ一覧表示」がユーザによって選択された場合に実行される構成でも良い。
【００６４】
まず、表示制御部４３は、ハードディスクドライブ部１８及び予約メモリ４２を参照して、当該ハードディスクドライブ部１８及び予約メモリ４２に記憶されている番組情報及び予約番組情報を全て取得する（ステップＳ１）。
【００６５】
表示制御部４３は、取得された番組情報または予約番組情報のうち１つを取り出す。ここでは、表示制御部４３は、１つの番組情報を取り出したものとして説明する。
【００６６】
次に、表示制御部４３は、取り出した番組情報がシリーズ番組を示す番組情報であるか否かを判定する（ステップＳ２）。
【００６７】
ここで、例えばステップＳ２において取り出された番組情報と同一のタイトル名を有する番組情報または予約番組情報が、ステップＳ１において取得された番組情報または予約番組情報の中に存在する場合、ステップＳ２において取り出された番組情報は、シリーズ番組を示す番組情報であると判定される。
【００６８】
なお、例えばシリーズ録画予約等によって、録画予約または録画された放送番組をシリーズ番組として判定する構成でも良い。また、表示制御部４３は、番組情報及び予約番組情報に含まれるシリーズＩＤに基づいて、シリーズ番組を判定する構成であっても構わない。
【００６９】
表示制御部４３は、取り出された番組情報がシリーズ番組を示す番組情報であると判定された場合（ステップＳ２のＹＥＳ）、当該番組情報が含まれるシリーズのリストを作成する（ステップＳ３）。なお、取り出された番組情報が含まれるシリーズのリストが既に作成されている場合には、リストに番組情報を追加する。
【００７０】
一方、表示制御部４３は、取り出された番組情報がシリーズ番組を示す番組情報でないと判定された場合（ステップＳ２のＮＯ）、当該番組情報は単発番組を示す番組情報であるものとする。この場合、表示制御部４３は、取り出された番組情報に基づいて、１つのコンテンツ情報を作成する（ステップＳ４）。
【００７１】
表示制御部４３は、ステップＳ３またはＳ４の処理を実行すると、ステップＳ１において取得された番組情報及び予約番組情報の全てについて上記したステップＳ２乃至Ｓ４の処理を実行したか否かを判定する（ステップＳ５）。
【００７２】
表示制御部４３は、ステップＳ１において取得された番組情報及び予約番組情報の全てについて処理を実行した場合（ステップＳ５のＹＥＳ）、ステップＳ３で作成されたシリーズ毎のリストに含まれる番組情報または予約番組情報に基づいて、シリーズ毎に１つのコンテンツ情報を作成する（ステップＳ６）。
【００７３】
表示制御部４３は、ステップＳ４及びＳ６で作成されたコンテンツ情報に含まれるコンテンツ（タイトル）名を、一覧として例えば受像機４１の表示画面に表示する（ステップＳ７）。このとき、表示制御部４３は、コンテンツ名の他、コンテンツ情報に含まれる例えば全話数を示す情報等も表示する。
【００７４】
一方、ステップＳ５において、ステップＳ１において取得された番組情報及び予約番組情報の全てについて上記したステップＳ２乃至Ｓ４乃処理が実行されていない場合（ステップＳ５のＮＯ）、ステップＳ２に戻って処理が繰り返される。
【００７５】
図７は、コンテンツ一覧表示に表示される１つのコンテンツ情報（１コンテンツ）の表示例である。コンテンツは、前述したように単発番組及びシリーズ番組に分類される。なお、単発番組及びシリーズ番組のそれぞれの状態によって、表示が異なる。ここでは、単発番組のコンテンツ名は「ｖｖｖｖ」、シリーズ番組のコンテンツ名は「ｘｘｘｘ」として説明する。また、シリーズ番組「ｘｘｘｘ」は、例えば全１５話であり、最終話である第１５話は６／２５に放送される予定であるものとして説明する。ここで、最終話が放送される日付は、例えば現在の日付、現在放送済みの話数、最終話の話数及び放送日（例えば、毎週月曜日の２１：００から２２：００）に基づいて推測される。
【００７６】
単発番組では、例えばコンテンツ名、及び予約／録画中／録画済みのいずれかが表示される。また、予約されている単発番組または録画中の単発番組については、当該単発番組を取り終える日付が表示される。
【００７７】
シリーズ番組では、例えばコンテンツ名、全話数、予約または録画済話数、全話数を取り終える日付が表示される。シリーズ番組であって、全話数が不明な場合には、全話数は表示されない。また、シリーズ番組の途中、例えば第２話から録画または予約を開始した場合には、第２話から録画または予約を開始した旨が表示される。
【００７８】
図７に示す単発番組の表示例として、例えば単発番組が未録画（予約済み）の場合には、「ｖｖｖｖ  予約  ５／５」が表示される。また、例えば単発番組が録画中である場合には、「ｖｖｖｖ  録画中  ５／５」が表示される。また、例えば単発番組が録画済みである場合には、「ｖｖｖｖ」が表示される。
【００７９】
図７に示すシリーズ番組の表示例として、例えばシリーズ番組の全てが未録画（全て予約済み）の場合には、「ｘｘｘｘ全１５話  予約  〜６／２５」が表示される。また、例えばシリーズ番組の全てのうち第２話まで録画済みの場合には、「ｘｘｘｘ全１５話  現在２話目  〜６／２５」が表示される。また、例えばシリーズ番組の例えば第３話を録画中の場合には、「ｘｘｘｘ全１５話  第３話録画中  〜６／２５」が表示される。また、例えばシリーズ番組の全話数が不明であって現在第２話まで録画されている場合には、「ｘｘｘｘ第１話〜  現在２話目」が表示される。また、例えばシリーズ番組の全てのうち第２話目から予約を開始し、現在第５話まで録画済みの場合には、「ｘｘｘｘ第２話〜第１５話  現在５話目  〜６／２５」が表示される。
【００８０】
次に、図８を参照して、ユーザの操作による例えば受像機４１の表示画面１００の画面遷移例について説明する。
【００８１】
まず、受像機４１の表示画面１００に、例えば通常のＴＶ放送が表示されている（標準画面１００ａ）状態で、ユーザによってコンテンツ一覧キーが押下、またはクイックメニューから「コンテンツ一覧」が選択されると（ステップＳ１０）、表示画面１００はコンテンツ一覧画面１００ｂに遷移する。
【００８２】
ここで、例えばユーザによってコンテンツ一覧画面１００ｂに表示されているコンテンツのうち１つが選択され（ステップＳ１１）、決定キーが押下されたものとする（ステップＳ１２）。この場合、ユーザは、「前回の続きから再生」、もしくは「再生する話数または題名を選択」のいずれかを選択することができる（ステップＳ１３）。
【００８３】
ユーザによって「再生する話数または題名を選択」が選択された場合（ステップＳ１４）、コンテンツ一覧画面１００ｂは、話数・題名一覧画面１００ｃに遷移する。この話数・題名一覧画面１００ｃには、ステップＳ１１で選択されたコンテンツ情報に含まれる録画済番組の番組情報が一覧表示される。ユーザは、話数・題名一覧画面１００ｃに表示される番組情報から、所望の話数または題名を選択し、決定キーによって決定する（ステップＳ１５）。ユーザによって話数または題名が決定されると、当該話数または題名の録画済番組の再生処理が実行される（ステップＳ１６）。話数・題名一覧画面１００ｃは、再生画面１００ｄに遷移し、ユーザによって決定された話数または題名の録画済番組が再生される。
【００８４】
一方、ステップＳ１３でユーザによって「前回の続きから再生」が選択された場合（ステップＳ１７）、前回の続きから再生処理が実行される（ステップＳ１６）。コンテンツ一覧画面１００ｂは、再生画面１００ｄに遷移し、コンテンツが前回の続きから再生される。
【００８５】
ここで、前回の続きから再生する処理は、番組情報に含まれる視聴完了フラグ及び視聴終了時間を示す情報に基づいて実行される。例えば未視聴の録画済番組であって話数の最も小さい録画済番組が、前回の続きであるものとして再生される。また、録画済番組が再生される際、その録画済番組の視聴を中断したところから再生される。
【００８６】
また、番組情報は、上記した視聴完了フラグの代わりに視聴フラグを含む構成でも構わない。視聴フラグは、番組情報によって示される録画済番組が視聴されたか否かを表す。この視聴フラグは、録画直後には未視聴に設定されているが、ユーザによって録画済番組の再生が実行された場合に、視聴済みに設定される。この視聴フラグにより、前回の続きが第何話からであるかが判別され、例えば未視聴の録画済番組であって話数の最も小さい録画済番組が、前回の続きであるものとして再生されても構わない。
【００８７】
なお、上記のように前回の続き、または選択された話数または題名から再生された場合、再生された録画済番組の話数から話数順に録画済番組が連続して再生される。
【００８８】
一方、例えばユーザによってコンテンツ一覧画面１００ｂに表示されているコンテンツのうち１つが選択され（ステップＳ１１）、削除キーが押下されたものとする（ステップＳ１８）。この場合、ユーザは、「全話削除」、もしくは「削除する話数または題名を選択」のいずれかを選択することができる（ステップＳ１９）。
【００８９】
ユーザによって「削除する話数または題名を選択」が選択された場合（ステップＳ２０）、コンテンツ一覧画面１００ｂは、話数・題名一覧画面１００ｅに遷移する。この話数・題名一覧画面１００ｅには、ステップＳ１１で選択されたコンテンツ情報に含まれる番組情報または予約番組情報が一覧表示される。ユーザは、話数・題名一覧画面１００ｅに表示される番組情報または予約番組情報から、所望の話数または題名を選択し、決定キーによって決定する（ステップＳ２１）。ユーザによって話数または題名が決定されると、当該話数または題名を示す情報を含む番組情報及び当該番組情報によって示される録画済番組、または予約番組情報を削除する処理が実行される（ステップＳ２２）。話数・題名一覧画面１００ｅには、削除処理が実行された旨、例えば「削除しました」が表示され、話数・題名一覧画面１００ｅはコンテンツ一覧画面１００ｆに遷移する。
【００９０】
一方、ステップＳ１３でユーザによって「全話削除」が選択された場合（ステップＳ２３）、ステップＳ１１で選択されたコンテンツ情報に含まれる番組情報及び当該番組情報によって示される録画済番組または予約番組情報を削除する処理が実行される（ステップＳ２２）。コンテンツ一覧画面１００ｂには、削除処理が実行された旨が表示され、コンテンツ一覧画面１００ｂはコンテンツ一覧画面１００ｆに遷移する。
【００９１】
一方、例えばユーザによってコンテンツ一覧画面１００ｂに表示されているコンテンツのうち１つが選択され（ステップＳ１１）、移動キーが押下されたものとする（ステップＳ２４）。この場合、ユーザは、「全話移動」、「録画タイトル（録画済番組）のみ移動」もしくは「移動する話数または題名を選択」のいずれかを選択することができる（ステップＳ２５）。
【００９２】
ユーザによって「移動する話数または題名を選択」が選択された場合（ステップＳ２６）、コンテンツ一覧画面１００ｂは、話数・題名一覧画面１００ｇに遷移する。この話数・題名一覧画面１００ｅには、ステップＳ１１で選択されたコンテンツ情報に含まれる番組情報または予約番組情報が一覧表示される。ユーザは、話数・題名一覧画面１００ｅに表示される番組情報または予約番組情報から、所望の話数または題名を選択し、決定キーによって決定する（ステップＳ２７）。ユーザによって話数または題名が決定されると、当該話数または題名を示す情報を含む番組情報及び当該番組情報によって示される録画済番組、または予約番組情報を、ハードディスクドライブ部１８以外の例えばＤＶＤ−ＲＡＭ／ＤＶＤ−Ｒのような記録型メディアＤに移動（記録）する処理が実行される（ステップＳ２８）。話数・題名一覧画面１００ｅには、移動処理が実行された旨、例えば「移動しました」が表示され、話数・題名一覧画面１００ｇはコンテンツ一覧画面１００ｆに遷移する。
【００９３】
一方、ステップＳ１３でユーザによって「全話移動」または「録画タイトルのみ移動」が選択された場合（ステップＳ２９）、ステップＳ１１で選択されたコンテンツ情報に含まれる番組情報及び当該番組情報によって示される録画済番組を、ハードディスクドライブ部１８以外の例えばＤＶＤ−ＲＡＭ／ＤＶＤ−Ｒのような記録型メディアＤに移動（記録）する処理が実行される（ステップＳ２８）。コンテンツ一覧画面１００ｂには、移動処理が実行された旨が表示され、コンテンツ一覧画面１００ｂはコンテンツ一覧画面１００ｆに遷移する。
【００９４】
次に、図９のフローチャートを参照して、例えばシリーズ録画予約または一定期間予約によって新規に録画予約が実行された場合の処理手順について説明する。
【００９５】
まず、例えば放送番組の録画予約処理が実行された場合、制御部３０は、例えばＥＰＧから当該放送番組の番組情報を取得する。制御部３０は、取得された番組情報を予約番組情報として予約メモリ４２に記憶し、予約番組情報の一覧に追加する（ステップＳ１００）。この一覧は、録画予約されている放送番組の番組情報、つまり予約番組情報の一覧を示すリスト（情報）である。
【００９６】
ここで、制御部３０が取得する予約番組情報は、予約番組ＩＤ、チャンネル、予約日時、録画時間、タイトル名及び番組説明を含む。番組説明は、予約番組情報によって示される放送番組の番組内容を示す情報である。
【００９７】
次に、制御部３０は、ＥＰＧに全話数を示す情報が付加されているか否かを判定する（ステップＳ１０１）。
【００９８】
制御部３０は、例えばＥＰＧに全話数を示す情報が付加されている場合（ステップＳ１０１のＹＥＳ）、当該情報を抽出する（ステップＳ１０２）。制御部３０は、取得された全話数を示す情報をステップＳ１００で取得された予約番組情報に付加する（ステップＳ１０３）。
【００９９】
一方、制御部３０は、例えばＥＰＧに全話数を示す情報が付加されていない場合（ステップＳ１０１のＮＯ）、取得された予約番組情報に含まれる番組説明を示す情報に全話数を示す情報が含まれているか否かを判定する（ステップＳ１０４）。
【０１００】
番組説明を示す情報に全話数を示す情報が含まれている場合（ステップＳ１０４のＹＥＳ）、制御部３０は、当該全話数を示す情報を抽出し、ステップＳ１００で取得された予約番組情報に付加する（ステップＳ１０２、Ｓ１０３）。
【０１０１】
一方、番組説明を示す情報に全話数を示す情報が含まれていない場合（ステップＳ１０４のＮＯ）、制御部３０は、全話数が不明であることを示す情報をステップＳ１００で取得された予約番組情報に付加する（ステップＳ１０５）。
【０１０２】
上記した処理が実行されると、制御部３０は、ＥＰＧに話数を示す情報が付加されているか否かを判定する（ステップＳ１０６）。
【０１０３】
制御部３０は、例えばＥＰＧに話数を示す情報が付加されている場合（ステップＳ１０６のＹＥＳ）、当該情報を抽出する（ステップＳ１０７）。制御部３０は、取得された話数を示す情報をステップＳ１００で取得された予約番組情報に付加する（ステップＳ１０８）。
【０１０４】
一方、制御部３０は、例えばＥＰＧに話数を示す情報が付加されていない場合（ステップＳ１０６のＮＯ）、予約番組情報に含まれるタイトル名を示す情報に話数を示す情報が含まれているか否かを判定する（ステップＳ１０９）。
【０１０５】
ＥＰＧに含まれる放送番組の説明を示す情報に話数を示す情報が含まれている場合（ステップＳ１０９のＹＥＳ）、制御部３０は、ステップＳ１０７及びＳ１０８の処理を実行する。
【０１０６】
一方、予約番組情報に含まれるタイトル名を示す情報に話数を示す情報が含まれていない場合（ステップＳ１０４のＮＯ）、制御部３０は、話数が不明を示す情報をステップＳ１００で取得された予約番組情報に付加する（ステップＳ１１０）。
【０１０７】
次に、図１０のフローチャートを参照して、コンテンツ情報を削除する処理手順について説明する。
【０１０８】
まず、ユーザによってコンテンツ情報を削除する旨を指示する操作が実行された場合、当該指示されたコンテンツ情報が取得される（ステップＳ２００）。
【０１０９】
取得されたコンテンツ情報に含まれる予約番組情報の予約番組ＩＤを予約メモリ４２に格納される予約番組情報の一覧から削除する処理が実行される（ステップＳ２０１）。
【０１１０】
取得されたコンテンツ情報に含まれる番組情報の番組ＩＤを例えばハードディスクドライブ部１８に記憶されている録画番組情報の一覧から削除する処理が実行される（ステップＳ２０２）。ここで、この一覧は、ハードディスクドライブ部１８に記憶されている録画済番組の番組情報の一覧を示すリスト（情報）である。
【０１１１】
次に、取得されたコンテンツ情報を削除する処理が実行される（ステップＳ２０３）。
【０１１２】
次に、図１１のフローチャートを参照して、録画予約がなされた放送番組の録画が終了した際の処理手順について説明する。
【０１１３】
まず、録画が終了された放送番組の録画予約がシリーズ録画予約または一定期間予約によるものであるか否かが、当該放送番組の予約番組情報に含まれる録画日時を示す情報に基づいて判定される（ステップＳ３００）。
【０１１４】
次に、録画予約がシリーズ録画予約または一定期間予約によるものであると判定された場合（ステップＳ３００のＹＥＳ）、録画が終了された放送番組がシリーズ番組における最終話であるか否かが、録画が終了された放送番組の予約番組情報に含まれる全話数を示す情報に基づいて判定される（ステップＳ３０１）。
【０１１５】
録画が終了された放送番組がシリーズ番組における最終話でないと判定された場合（ステップＳ３０１のＮＯ）、録画予約が更新される（ステップＳ３０２）。
【０１１６】
一方、ステップＳ３０１において録画が終了された放送番組がシリーズ番組における最終話であると判定された場合には、当該シリーズ予約は削除される（ステップＳ３０３）。
【０１１７】
また、ステップＳ３００において録画予約がシリーズ録画予約または一定期間予約によるものでないと判定された場合には、録画予約が削除される（ステップＳ３０３）。
【０１１８】
以上の処理によって、シリーズ録画予約または一定期間予約が設定されている場合において、そのシリーズが最終話の放送を終えたのにも拘らず、引き続き録画予約がなされてしまうことを回避することが可能となる。
【０１１９】
上述したように本実施形態によれば、録画済みのシリーズ番組と予約済みのシリーズ番組とを１つのコンテンツとして扱うことによって、例えば削除のような映像録画装置の基本機能においてコンテンツ重視の操作を実行することが可能となる。具体的には、例えば予約番組及び録画済番組を削除、移動する処理を１画面で実行することが可能となる。また、同一シリーズの録画済番組を連続再生することも可能となる。
【０１２０】
また、本実施形態においては、同一シリーズ番組を１つのコンテンツとして扱うことが可能となるため、コンテンツ一覧では見やすい画面をユーザに提供することが可能となる。また、コンテンツ情報に含まれる番組情報及び予約番組情報を一覧表示することによって、シリーズ番組のうち録画済のシリーズ番組及び予約済みのシリーズ番組を区別なく一覧に表示できるため、ユーザの必要とする情報を漏れなく提供することが可能となる。
【０１２１】
本実施形態におけるコンテンツ一覧表示において、シリーズにおける全話数及び現在まで録画した話数を表示することにより、再生するコンテンツを選択する際の目安となるため、操作性を向上することが可能となる。また、全話数を録画し終える日付を表示することにより、全シリーズを録画し終える時期を確認することが可能となる。これにより、その時期までに例えばハードディスクドライブ部１８の容量に応じて、ハードディスクドライブ部１８に記録された録画済番組等の整理をすることが可能となる。また、シリーズ番組の最終話を見地することにより、シリーズ録画予約または一定期間予約の削除が自動で実行されるため、当該シリーズ番組の放送が終了したにも拘らず当該録画予約の削除を忘れたために無駄な録画予約及び録画を避けることが可能となる。
【０１２２】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素からいくつかの構成要素を削除してもよい。
【図面の簡単な説明】
【０１２３】
【図１】本発明の実施形態に係る映像録画装置の構成を示すブロック図。
【図２】本実施形態の特徴の概念図。
【図３】予約番組情報の構造例を示す図。
【図４】録画済番組の番組情報の構造例を示す図。
【図５】コンテンツ情報の構造例を示す図。
【図６】コンテンツ情報を一覧表示する処理手順を示すフローチャート。
【図７】コンテンツ一覧表示に表示される１つのコンテンツ情報の表示例を示す図。
【図８】ユーザの操作による例えば受像機４１の表示画面１００の画面遷移例示す図。
【図９】新規に録画予約が実行された場合の処理手順を示すフローチャート。
【図１０】コンテンツ情報を削除する処理手順を示すフローチャート。
【図１１】録画予約がなされた放送番組の録画が終了した際の処理手順を示すフローチャート。
【符号の説明】
【０１２４】
１０…ビデオレコーダ、１１…通信部、１２…ＢＳ／ＣＳチューナ部、１３…地上波チューナ部、１６…入力側セレクタ部、１７…出力側セレクタ部１８…ハードディスクドライブ部（番組格納手段）、１９…光ディスクドライブ部、２０…一時記憶部、２１…エンコーダ部、２３…デコーダ部、２７…インタフェース（Ｉ／Ｆ）部、３０…制御部、３２…操作部、３３…表示部、３４…タイマーマイコン部、４１…受像機、４２…予約メモリ（予約格納手段）、４３…表示制御部、１００…表示画面、Ｄ…記録型メディア、Ｍ…モデム、Ｒ…リモコンユニット、Ｔ…放送局。
【図１】
2007312211.tif 000003
【図２】
2007312211.tif 000004
【図３】
2007312211.tif 000005
【図４】
2007312211.tif 000006
【図５】
2007312211.tif 000007
【図６】
2007312211.tif 000008
【図７】
2007312211.tif 000009
【図８】
2007312211.tif 000010
【図９】
2007312211.tif 000011
【図１０】
2007312211.tif 000012
【図１１】
2007312211.tif 000013